(57)【要約】      （修正有）【課題】装置の大型化および高コスト化を招くことなく、適切にスタックへのガスの供給阻害の要因となる水を処理することができる燃料電池システムを提供する。【解決手段】燃料電池セルの電圧を検出する電圧検出器３０と、燃料利用率および酸素利用率を設定する出力調整部７０、燃料ガス供給器６４および酸化剤ガス供給器６６と、制御部３４とを備え、制御部３４は、定格運転時に検出された電圧が所定の電圧未満となる場合、燃料利用率および酸素利用率を下げた第１燃料利用率および第１酸素利用率へと設定変更するように制御し、所定の電圧以上となったとき、水によりガスの供給阻害が発生していると判定し、第１酸素利用率の利用率を上げて第２酸素利用率に設定変更するように制御し、電圧検出器３０により検出された燃料電池セルの電圧が所定の電圧未満となるとき、酸素を供給する酸化剤ガス経路７１内の水によって酸素の供給阻害が起こっていると判定する。【選択図】図１
2014209416.tif 000002
【特許請求の範囲】
【請求項１】
供給された燃料と酸素との電気化学反応により発電する燃料電池セルを複数積層して形成されたスタックと、
前記スタックを形成する複数の燃料電池セルのうち所定の燃料電池セルの電圧を検出する電圧検出器と、
前記燃料電池セルにおける燃料利用率および酸素利用率を設定する利用率設定部と、
制御部と、を備え、
前記制御部は、
当該燃料電池システムの定格運転時において前記電圧検出器により検出された前記燃料電池セルの電圧が所定の電圧未満となる場合、前記燃料電池セルにおける燃料利用率および酸素利用率を、該定格運転時に設定されている利用率よりも下げた第１燃料利用率および第１酸素利用率へと設定変更するように前記利用率設定部を制御し、この第１酸素利用率への設定変更後に電圧検出器により検出された前記燃料電池セルの電圧が所定の電圧以上となったとき、水により燃料電池セルへのガスの供給阻害が発生していると判定し、
水により燃料電池セルへのガスの供給阻害が発生していると判定した場合、前記第１酸素利用率の利用率を上げて第２酸素利用率に設定変更するように前記利用率設定部をさらに制御し、この第２酸素利用率への設定変更後に、前記電圧検出器により検出された前記燃料電池セルの電圧が所定の電圧未満となるとき、酸素を供給するカソード供給経路内の水によって該酸素の供給阻害が起こっていると判定する燃料電池システム。
【請求項２】
前記電圧検出器により電圧が検出される前記所定の燃料電池セルは、前記スタックにおける端部に位置する燃料電池セルである請求項１に記載の燃料電池システム。
【請求項３】
前記電圧検出器により電圧が検出される前記所定の燃料電池セルは、前記スタックを形成する複数の燃料電池セルを複数のブロックに分割し、該複数のブロックのうち、前記スタックにおける端部に位置する燃料電池セルを含むブロックの中に属するいずれか１つの燃料電池セルである請求項１に記載の燃料電池システム。
【請求項４】
前記利用率設定部は、前記燃料電池セルにおける前記第１酸素利用率を前記第２酸素利用率に設定変更する場合、第１酸素利用率の値が第２酸素利用率の値となるまで段階的に高くなるように変更しており、
前記制御部は、前記利用率設定部によって段階的に設定変更された酸素利用率それぞれで電圧検出器により検出された前記燃料電池セルの電圧の変化を示す傾きが所定値以上である場合、該電圧が所定の電圧未満であると判断して、前記カソード供給経路内の水によって酸素の供給阻害が起こっていると判定する請求項１から３のいずれか１項に記載の燃料電池システム。
【請求項５】
前記制御部が、前記カソード供給経路内の水によって酸素の供給阻害が起こっていると判定した場合、該カソード供給経路内における該水の除去を行う第一水分除去部をさらに備える請求項１から４のいずれか１項に記載の燃料電池システム。
【請求項６】
前記制御部は、前記カソード供給経路内の水によって酸素の供給阻害が起こっているか否かの判定をした後、前記第１燃料利用率の利用率を上げて第２燃料利用率に設定変更するようにさらに前記利用率設定部を制御し、このとき前記電圧検出器により検出された前記燃料電池セルの電圧が所定の電圧未満となるとき、燃料を供給するアノード供給経路内の水によって該燃料の供給阻害が起こっていると判定する請求項３から５のいずれか１項に記載の燃料電池システム。
【請求項７】
前記利用率設定部は、前記燃料電池セルにおける前記第１燃料利用率を前記第２燃料利用率に設定変更する場合、第１燃料利用率の値が第２燃料利用率の値となるまで段階的に高くなるように変更しており、
前記制御部は、前記利用率設定部によって段階的に設定変更された燃料利用率それぞれで電圧検出器により検出された前記燃料電池セルの電圧の変化を示す傾きが所定値以上である場合、該電圧が所定の電圧未満であると判断して、前記アノード供給経路内の水によって燃料の供給阻害が起こっていると判定する請求項６に記載の燃料電池システム。
【請求項８】
前記制御部が、前記アノード供給経路内の水によって燃料の供給阻害が起こっていると判定した場合、該アノード供給経路内における該水の除去を行う第二水分除去部をさらに備える請求項６または７に記載の燃料電池システム。
【請求項９】
供給された燃料と酸素との電気化学反応により発電する燃料電池セルを複数積層して形成されたスタックを有する燃料電池システムの制御方法であって、
当該燃料電池システムの定格運転時において、前記スタックを形成する複数の燃料電池セルのうち所定の燃料電池セルの電圧を検出し、
検出された該電圧が所定の電圧未満となる場合、該燃料電池セルにおける燃料利用率および酸素利用率を、該定格運転時に設定されている利用率よりも下げた第１燃料利用率および第１酸素利用率へと設定変更し、
この第１酸素利用率への設定変更後に検出された前記燃料電池セルの電圧が所定の電圧以上となったとき、水により燃料電池セルへのガスの供給阻害が発生していると判定し、
水により燃料電池セルへのガスの供給阻害が発生していると判定した場合、さらに前記第１酸素利用率の利用率を上げて第２酸素利用率に設定変更させ、この設定変更後に検出された前記燃料電池セルの電圧が所定の電圧未満となるとき、酸素を供給するカソード供給経路内の水によって該酸素の供給阻害が起こっていると判定する燃料電池システムの制御方法。
【発明の詳細な説明】
【技術分野】
【０００１】
本発明は、燃料電池システム、および燃料電池システムの制御方法に関する。
【背景技術】
【０００２】
近年、高効率でクリーンなエネルギー源の開発が求められており、このようなエネルギー源の候補として燃料電池が注目を浴びている。例えば、燃料電池の一つとして、固体高分子形燃料電池（ＰＥＦＣ）が知られている。固体高分子形燃料電池で使用される固体高分子電解質膜はその中に水分を含んでいないとイオン伝導体として十分に機能しない。このため、固体高分子形燃料電池では、供給される燃料および酸素含有ガスを予め加湿しておくことが必要となる。
【０００３】
しかしながら、例えば、以下の場合は、燃料電池スタックへの燃料および酸素含有ガスの供給が阻害される可能性がある。すなわち、燃料および酸素含有ガスの加湿量が多い場合、燃料電池スタック内部で生成される水分量が多い場合、あるいは燃料および酸素含有ガスを流通させる経路中での放熱量が多く、これらガス温度が低下し、経路内で水（凝縮水）が発生する場合である。
【０００４】
特に、燃料が流通する経路（アノード経路）内に発生した水（凝縮水）に起因して、燃料電池スタックへの燃料供給阻害が起こった場合、いわゆる転極と呼ばれる現象が発生する。転極が発生すると、アノード側の触媒金属の溶出またはアノード側の触媒担体の腐食が膜／電極接合体（ＭＥＡ：Membrane Electrode-Assembly）に対して大きな劣化を引き起こす。
【０００５】
そこで、固体高分子電解質膜の加湿状態を最適なものとするためには、この固体高分子電解質膜の加湿状態の判断を行うことができる燃料電池システムが開発されている（例えば、特許文献１、２）。
【０００６】
具体的には、特許文献１に開示された燃料電池システムでは、固体高分子電解質膜が２つの電極で挟持された単電池単位で出力電圧を検出する電圧検出手段、この電圧検出手段の検出結果から出力電圧が正常範囲を下回る単電池を異常単電池として検出する異常単電池検出手段、ならびに異常単電池の燃料電池スタックにおける積層位置を判定し、この積層位置に基づいて燃料電池スタックの加湿の状態を判定する加湿状態判定手段を備える。
【０００７】
そして、特許文献１に開示された燃料電池システムは、電圧低下を起こした異常単電池の燃料電池スタックにおける積層位置を知ることで、燃料電池スタックの加湿の状態を判定することができる。
【０００８】
また、特許文献２には、反応後のオフガスが排出されるオフガス排出路に設けられ、結露した水分を排出する結露水排出手段と、酸化ガス供給経路およびオフガス排出路に設けられてガスの圧力を検出する圧力検出手段と、酸化ガス供給経路、オフガス排出路、および全熱交換型加湿器のいずれかに設けられ、温度を検出する温度検出手段と、制御手段とを備えた燃料電池ユニットが開示されている。
【０００９】
この燃料電池ユニットでは、圧力検出手段および温度検出手段からの検出信号に基づいて算出された換算圧力が所定圧力よりも高い場合に、燃料電池ユニット内に多量の結露水分が存在すると判定し、制御手段が、酸化ガスの供給量を所定範囲内で増加させて換算圧力を所定圧力にするように制御する。
【先行技術文献】
【特許文献】
【００１０】
【特許文献１】特開２００２−１８４４３８号公報
【特許文献２】特開２０１０−１２９４５４号公報
【発明の概要】
【発明が解決しようとする課題】
【００１１】
しかしながら従来の燃料電池システムでは、装置の大型化および高コスト化を招くことなく、スタックへのガスの供給阻害の要因となる水の処理を適切に行うことができないという問題がある。より具体的には、特許文献１に開示された燃料電池システムでは、燃料電池セル（燃料電池単電池）の電圧低下の要因が、燃料が流通するアノードガス経路内の結露によるものなのか、酸素含有ガスが流通するカソードガス経路内の結露によるものなのか区別できない。このため、どちらの経路内の水を処理すべきか判別することができず、スタックへのガスの供給阻害の要因となる水を適切に処理できないという問題がある。
【００１２】
一方、特許文献２に開示された燃料電池システムでは、別途、圧力検出器を備える必要があるため、装置の大型化および高コスト化を招く問題がある。
【００１３】
本発明は、上述した問題点に鑑みてなされたものであり、その目的は、装置の大型化および高コスト化を招くことなく、スタックへのガスの供給阻害の要因となる水を適切に処理することができる燃料電池システムを提供することにある。
【課題を解決するための手段】
【００１４】
本発明に係る燃料電池システムは、上記した課題を解決するために、供給された燃料と酸素との電気化学反応により発電する燃料電池セルを複数積層して形成されたスタックと、前記スタックを形成する複数の燃料電池セルのうち所定の燃料電池セルの電圧を検出する電圧検出器と、前記燃料電池セルにおける燃料利用率および酸素利用率を設定する利用率設定部と、制御部と、を備え、前記制御部は、当該燃料電池システムの定格運転時において前記電圧検出器により検出された前記燃料電池セルの電圧が所定の電圧未満となる場合、前記燃料電池セルにおける燃料利用率および酸素利用率を、該定格運転時に設定されている利用率よりも下げた第１燃料利用率および第１酸素利用率へと設定変更するように前記利用率設定部を制御し、この第１酸素利用率への設定変更後に電圧検出器により検出された前記燃料電池セルの電圧が所定の電圧以上となったとき、水により燃料電池セルへのガスの供給阻害が発生していると判定し、水により燃料電池セルへのガスの供給阻害が発生していると判定した場合、前記第１酸素利用率の利用率を上げて第２酸素利用率に設定変更するように前記利用率設定部をさらに制御し、この第２酸素利用率への設定変更後に、前記電圧検出器により検出された前記燃料電池セルの電圧が所定の電圧未満となるとき、酸素を供給するカソード供給経路内の水によって該酸素の供給阻害が起こっていると判定する。
【００１５】
本発明に係る燃料電池システムの制御方法は、上記した課題を解決するために、供給された燃料と酸素との電気化学反応により発電する燃料電池セルを複数積層して形成されたスタックを有する燃料電池システムの制御方法であって、当該燃料電池システムの定格運転時において、前記スタックを形成する複数の燃料電池セルのうち所定の燃料電池セルの電圧を検出し、検出された該電圧が所定の電圧未満となる場合、該燃料電池セルにおける燃料利用率および酸素利用率を、該定格運転時に設定されている利用率よりも下げた第１燃料利用率および第１酸素利用率へと設定変更し、この第１酸素利用率への設定変更後に検出された前記燃料電池セルの電圧が所定の電圧以上となったとき、水により燃料電池セルへのガスの供給阻害が発生していると判定し、水により燃料電池セルへのガスの供給阻害が発生していると判定した場合、さらに前記第１酸素利用率の利用率を上げて第２酸素利用率に設定変更させ、この設定変更後に検出された前記燃料電池セルの電圧が所定の電圧未満となるとき、酸素を供給するカソード供給経路内の水によって該酸素の供給阻害が起こっていると判定する。
【発明の効果】
【００１６】
本発明に係る燃料電池システムおよび燃料電池システムの制御方法は、以上に説明したように構成され、装置の大型化および高コスト化を招くことなく、スタックへのガスの供給阻害の要因となる水を適切に処理することができるという効果を奏する。
【図面の簡単な説明】
【００１７】
【図１】本発明の実施の形態に係る燃料電池システムの概略構成の一例を示す模式図である。
【図２】図１に示す燃料電池システムが備えるスタックの概略構成の一例を示す断面図である。
【図３】本発明の実施の形態に係る燃料電池システムにおいて実施される「フラッディング判定処理」の一例を示すフローチャートである。
【図４】本発明の実施の形態に係る燃料電池システムが実施する「フラッディング判定処理」のサブルーチンである「電圧降下要因確定処理」の一例を示すフローチャートである。
【図５】本発明の実施の形態に係る燃料電池システムが実施する「フラッディング判定処理」のサブルーチンである「酸化剤ガス経路側のフラッディング判定処理」の一例を示すフローチャートである。
【図６】本発明の実施の形態に係る燃料電池システムが実施する「フラッディング判定処理」のサブルーチンである「燃料ガス経路側のフラッディング判定処理」の一例を示すフローチャートである。
【発明を実施するための形態】
【００１８】
本発明の第１の態様に係る燃料電池システムは、供給された燃料と酸素との電気化学反応により発電する燃料電池セルを複数積層して形成されたスタックと、前記スタックを形成する複数の燃料電池セルのうち所定の燃料電池セルの電圧を検出する電圧検出器と、前記燃料電池セルにおける燃料利用率および酸素利用率を設定する利用率設定部と、制御部と、を備え、前記制御部は、当該燃料電池システムの定格運転時において前記電圧検出器により検出された前記燃料電池セルの電圧が所定の電圧未満となる場合、前記燃料電池セルにおける燃料利用率および酸素利用率を、該定格運転時に設定されている利用率よりも下げた第１燃料利用率および第１酸素利用率へと設定変更するように前記利用率設定部を制御し、この第１酸素利用率への設定変更後に電圧検出器により検出された前記燃料電池セルの電圧が所定の電圧以上となったとき、水により燃料電池セルへのガスの供給阻害が発生していると判定し、水により燃料電池セルへのガスの供給阻害が発生していると判定した場合、前記第１酸素利用率の利用率を上げて第２酸素利用率に設定変更するように前記利用率設定部をさらに制御し、この第２酸素利用率への設定変更後に、前記電圧検出器により検出された前記燃料電池セルの電圧が所定の電圧未満となるとき、酸素を供給するカソード供給経路内の水によって該酸素の供給阻害が起こっていると判定する。
【００１９】
ここで所定の燃料電池セルとは、スタックにおいてフラッディングが発生する確率が高い、例えば、スタックの端部またはその近傍に配置された燃料電池セルなどが挙げられる。
【００２０】
また、所定の電圧とは、燃料電池セルにおいて異常が発生しているか否かの判定基準となる電圧である。この電圧は、例えば、予め、燃料電池セルに異常が発生したとき検出されうる電圧の範囲を調べ、それらの電圧の範囲の中で適切に設定することができる。
【００２１】
上記した構成によると電圧検出器を備えているため、スタックにおける所定の燃料電池セルの電圧を検出することができる。また、利用率設定部を備えるため燃料電池セルにおける燃料利用率および酸素利用率を所望の利用率に設定変更することができる。
【００２２】
ところで、燃料電池セルの電圧が所定の電圧未満となる場合とは、該燃料電池セルにおいて何らかの不具合が発生したために電圧降下した場合である。このような状態において、制御部が、第１燃料利用率および第１酸素利用率へと利用率を下げるように利用率設定部を制御することにより、所定の燃料電池セルが所定の電圧以上となったとき、水による供給阻害が発生していると判定する。
【００２３】
つまり、利用率を下げることで燃料および酸素の供給を過剰とすることができるため、これによりフラッディングが要因で燃料電池セルの電圧が低下した場合はその低下が解消される。つまり、過剰に燃料および酸素を供給することで、燃料電池セルへのガスの供給不足を補うことができ、電圧低下を解消することができる。しかしながら、フラッディング以外が要因で燃料電池セルの電圧が低下した場合は、利用率を下げてもその電圧の低下は解消されない。
【００２４】
したがって、制御部は、第１燃料利用率および第１酸素利用率へと利用率を下げるように利用率設定部を制御することができるため、水により燃料電池セルへのガスの供給阻害が発生しているか否か判定することができる。
【００２５】
さらに、水により燃料電池セルへのガスの供給阻害が発生していると判定した場合、制御部は第１酸素利用率から利用率を上げた第２酸素利用率に設定変更させるように利用率設定部を制御することができる。そして、このように制御した場合において、前記燃料電池セルの電圧が所定の電圧未満となるとき、制御部はカソード供給経路内の水によって酸素の供給阻害が少なくとも起こっていることを判定することができる。
【００２６】
具体的には、酸素を供給するカソード供給経路内に水が溜まり、この水により燃料電池セルへの酸素の供給阻害が発生している場合、酸素利用率を高め、供給する酸素量を低減させることで、燃料電池セルへの酸素の供給不足が発生し電圧が下がることとなる。この現象を利用して、制御部はカソード供給経路内の水によって酸素の供給阻害が少なくとも起こっているか否か判定することができる。
【００２７】
このようにスタックへのガスの供給阻害の要因となる水がカソード供給経路内にあるか否か判定することができるため、例えば除去などの処理を行うべき水の所在を確定することができる。このため、本発明の第１の態様に係る燃料電池システムは、適切にこの水を処理することができる。また、本発明の第１の態様に係る燃料電池システムでは、特許文献２のように燃料電池システムにおいてさらに圧力検出器を備える必要がなく簡易な構成とすることができる。
【００２８】
したがって、本発明の第１の態様に係る燃料電池システムは、装置の大型化および高コスト化を招くことなく、スタックへのガスの供給阻害の要因となる水を適切に処理することができるという効果を奏する。
【００２９】
また、本発明の第２の態様に係る燃料電池システムは、上記した第１の態様において、前記電圧検出器により電圧が検出される前記所定の燃料電池セルは、前記スタックにおける端部に位置する燃料電池セルであってもよい。
【００３０】
また、本発明の第３の態様に係る燃料電池システムは、上記した第１の態様において、前記電圧検出器により電圧が検出される前記所定の燃料電池セルは、前記スタックを形成する複数の燃料電池セルを複数のブロックに分割し、該複数のブロックのうち、前記スタックにおける端部に位置する燃料電池セルを含むブロックの中に属するいずれか１つの燃料電池セルであってもよい。
【００３１】
また、本発明に係る燃料電池システムは、上記した第１の態様から第３の態様におけるいずれか１つの態様において、前記利用率設定部は、前記燃料電池セルにおける前記第１酸素利用率を前記第２酸素利用率に設定変更する場合、第１酸素利用率の値が第２酸素利用率の値となるまで段階的に高くなるように変更しており、前記制御部は、前記利用率設定部によって段階的に設定変更された酸素利用率それぞれで電圧検出器により検出された前記燃料電池セルの電圧の変化を示す傾きが所定値以上である場合、該電圧が所定の電圧未満であると判断して、前記カソード供給経路内の水によって酸素の供給阻害が起こっていると判定するように構成されていてもよい。
【００３２】
上記した構成によると、制御部は、燃料電池セルの電圧の変化を示す傾きが所定値以上であるか否かでカソード供給経路内の水によって酸素の供給阻害が起こっているか否か判定することができる。
【００３３】
このように傾きから判定する構成の方が、酸素利用率をいきなり所定の利用率に設定変更する構成よりも端セルの電圧変化をみながら利用率の設定変更ができるため、安全に燃料電池セルへのガスの供給阻害要因を判定することができる。
【００３４】
また、本発明の第５の態様に係る燃料電池システムは、上記した第１の態様から第４の態様のいずれか１つの態様において、前記制御部が、前記カソード供給経路内の水によって酸素の供給阻害が起こっていると判定した場合、該カソード供給経路内における該水の除去を行う第一水分除去部をさらに備えるように構成されていてもよい。
【００３５】
上記した構成によると、第一水分除去部を備えているため、酸素の供給阻害の要因となっている水をカソード供給経路内から除去することができる。
【００３６】
また、本発明の第６の態様に係る燃料電池システムは、上記した第３の態様から第５の態様のいずれか１つの態様において、前記制御部は、前記カソード供給経路内の水によって酸素の供給阻害が起こっているか否かの判定をした後、前記第１燃料利用率の利用率を上げて第２燃料利用率に設定変更するようにさらに前記利用率設定部を制御し、このとき前記電圧検出器により検出された前記燃料電池セルの電圧が所定の電圧未満となるとき、燃料を供給するアノード供給経路内の水によって該燃料の供給阻害が起こっていると判定するように構成されていてもよい。
【００３７】
上記した構成によると、制御部は第１燃料利用率から利用率を上げた第２燃料利用率に設定変更させるように利用率設定部を制御することができる。そして、燃料利用率を高めることで燃料を供給するアノード供給経路内の水によって該燃料の供給阻害が少なくとも起こっているか否かを判定することができる。
【００３８】
具体的には、もし、燃料を供給するアノード供給経路内に水が溜まり、この水により燃料電池セルへの燃料の供給阻害が発生している場合、燃料利用率を高め、供給する燃料を低減させることで、燃料電池セルへの燃料の供給不足が発生し電圧が下がることとなる。そこで、この現象を利用して、制御部はアノード供給経路内の水によって燃料の供給阻害が起こっているか否か判定することができる。
【００３９】
このようにスタックへのガスの供給阻害の要因となる水がアノード供給経路内にあるのか否か判定することができるため、例えば、除去などの処理を行うべき水の所在を確定することができる。このため、本発明の第６の態様に係る燃料電池システムは、適切にこの水を処理することができる。
【００４０】
また、本発明の第７の態様に係る燃料電池システムは、上記した第６の態様において、前記利用率設定部は、前記燃料電池セルにおける前記第１燃料利用率を前記第２燃料利用率に設定変更する場合、第１燃料利用率の値が第２燃料利用率の値となるまで段階的に高くなるように変更しており、前記制御部は、前記利用率設定部によって段階的に設定変更された燃料利用率それぞれで電圧検出器により検出された前記燃料電池セルの電圧の変化を示す傾きが所定値以上である場合、該電圧が所定の電圧未満であると判断して、前記アノード供給経路内の水によって燃料の供給阻害が起こっていると判定するように構成されていてもよい。
【００４１】
上記した構成によると、制御部は、燃料電池セルの電圧の変化を示す傾きが所定値以上であるか否かで、アノード供給経路内の水によって燃料の供給阻害が起こっているか否か判定することができる。
【００４２】
このように傾きから判定する構成の方が、燃料利用率をいきなり所定の利用率に設定変更する構成よりも端セルの電圧変化をみながら利用率の設定変更ができるため、安全に燃料電池セルへのガスの供給阻害要因を判定することができる。
【００４３】
また、本発明の第８の態様に係る燃料電池システムは、上記した第６または第７の態様において、前記制御部が、前記アノード供給経路内の水によって燃料の供給阻害が起こっていると判定した場合、該アノード供給経路内における該水の除去を行う第二水分除去部をさらに備えるように構成してもよい。
【００４４】
上記した構成によると、第二水分除去部を備えているため、燃料の供給阻害の要因となっている水をアノード供給経路内から除去することができる。
【００４５】
また、本発明の第９の態様に係る燃料電池システムの制御方法は、供給された燃料と酸素との電気化学反応により発電する燃料電池セルを複数積層して形成されたスタックを有する燃料電池システムの制御方法であって、当該燃料電池システムの定格運転時において、前記スタックを形成する複数の燃料電池セルのうち所定の燃料電池セルの電圧を検出し、検出された該電圧が所定の電圧未満となる場合、該燃料電池セルにおける燃料利用率および酸素利用率を、該定格運転時に設定されている利用率よりも下げた第１燃料利用率および第１酸素利用率へと設定変更し、この第１酸素利用率への設定変更後に検出された前記燃料電池セルの電圧が所定の電圧以上となったとき、水により燃料電池セルへのガスの供給阻害が発生していると判定し、水により燃料電池セルへのガスの供給阻害が発生していると判定した場合、さらに前記第１酸素利用率の利用率を上げて第２酸素利用率に設定変更させ、この設定変更後に検出された前記燃料電池セルの電圧が所定の電圧未満となるとき、酸素を供給するカソード供給経路内の水によって該酸素の供給阻害が起こっていると判定する。
【００４６】
上記した方法によると、第１燃料利用率および第１酸素利用率へと利用率を下げるように設定変更することができるため、水により燃料電池セルへのガスの供給阻害が発生しているか否か判定することができる。
【００４７】
さらに、第１酸素利用率から利用率を上げた第２酸素利用率に設定変更させることで、酸素を供給するカソード供給経路内の水によって該酸素の供給阻害が起こっているか否かを判定することができる。
【００４８】
このようにスタックへのガスの供給阻害の要因となる水がカソード供給経路内にあるのか否か判定することができるため、例えば除去などの処理を行うべき水の所在を確定することができる。このため、本発明の第１の態様に係る燃料電池システムは、適切にこの水を処理することができる。
【００４９】
また、本発明の第９の態様に係る燃料電池システムの制御方法では、燃料電池システムは、経路中における燃料および酸素の圧力を測定する必要がないため、特許文献２の燃料電池システムのように圧力検出器を備える必要がなく簡易な構成とすることができる。
【００５０】
したがって、本発明の第９の態様に係る燃料電池システムの制御方法は、装置の大型化および高コスト化を招くことなく、スタックへのガスの供給阻害の要因となる水を適切に処理することができるという効果を奏する。
【００５１】
以下、本発明の実施の形態について、図面を参照して説明する。なお、全ての図を通じて同一又は対応する構成部材には同一の参照符号を付して、その説明については省略する。
【００５２】
（燃料電池システムの構成）
まず、図１を参照して本発明の実施の形態に係る燃料電池システム１００の構成について説明する。図１は、本発明の実施の形態に係る燃料電池システム１００の一例を示す模式図である。
【００５３】
図１に示すように燃料電池システム１００は、スタック１０、出力調整器７０、電圧検出器３０、燃料ガス供給器６４、酸化剤ガス供給器６６、加湿器６８、水分除去部（第一水分除去部、第二水分除去部）３６、および制御部３４を備えてなる構成である。
【００５４】
そして、燃料電池システム１００が備えるスタック１０は、水素と酸素との電気化学反応によって発電する燃料電池単セル(燃料電池セル１)を、複数積層させたスタック構造を有している。各燃料電池セル１は、プロトン伝導性を有する高分子電解質膜（イオン交換樹脂膜）１２の両面に、それぞれアノード電極層１４およびカソード電極層１６を接合した膜電極接合体８（ＭＥＡ：Membrane-Electrode-Assembly）を、セパレータ５２によって挟持した構成となっている。以下において、まずスタック１０の構成について詳しく説明する。
【００５５】
（スタックの構成）
図２を参照して燃料電池システム１００が備えるスタックについて説明する。図２は、図１に示す燃料電池システム１００が備えるスタック１０の概略構成の一例を示す断面図である。
【００５６】
図２に示すように、スタック１０が備える燃料電池セル１は、ＭＥＡ（膜電極接合体）１８を含んでいる。そして、ＭＥＡ１８の両面には一対の板状の導電性のセパレータ５２（アノード側セパレータ５２ａ、カソード側セパレータ５２ｂ）が配置されている。ＭＥＡ１８は、水素イオンを選択的に輸送する高分子電解質膜１２と、この高分子電解質膜１２を挟みこむように配置された一対の電極層（アノード電極層１４、カソード電極層１６）とを備えてなる構成である。
【００５７】
高分子電解質膜１２は、水素イオン伝導性を有する高分子膜であってもよい。高分子電解質膜１２の形状は特に限定されないが、例えば、略矩形状とすることができる。高分子電解質膜１２の材料は、水素イオンを選択的に移動させるものであってもよい。高分子電解質膜１２としては、例えば、パーフルオロカーボンスルホン酸からなるフッ素系高分子電解質膜（例えば、米国DuPont社製のNafion（登録商標）、旭化成（株）製のAciplex（登録商標）、旭硝子（株）製のFlemion（登録商標）など）や各種炭化水素系電解質膜を使用できる。
【００５８】
アノード電極層１４およびカソード電極層１６は、白金属触媒を坦持したカーボン粉末を主成分とする不図示の触媒層と、導電作用とガス透過性と撥水性とを併せ持つ不図示のガス拡散層（ＧＤＬ）とを備えた構成であってもよい。このとき、触媒層は、水素または酸素の酸化還元反応に対する触媒を含む層であってもよい。触媒層は、導電性を有し、かつ水素および酸素の酸化還元反応に対する触媒能を有するものであれば特に限定されない。本実施形態では、この触媒層の形状を、例えば、略矩形状とすることができる。
【００５９】
より具体的には、触媒層は、例えば、白金族金属触媒を担持したカーボン粉末とプロトン導電性を有する高分子材料とを主成分とした多孔質な部材から構成できる。触媒層に用いるプロトン導電性高分子材料は、高分子電解質膜１２と同じ種類であっても、異なる種類であってもよい。なお、この触媒層は、高分子電解質膜１２の主面に触媒層形成用インクを塗工又はスプレーするなどして形成できる。
【００６０】
一方、ガス拡散層は、導電性を有し、かつ反応ガスが拡散できるものであればよく、例えば、炭素繊維を基材として用いたタイプであってもよいし、カーボンの微粉末をバインダーとともに混練してシート化したタイプのものや、金属の微粉末を焼結したタイプのものであってもよい。
【００６１】
炭素繊維を基材として用いたタイプのものとしては、カーボンクロス、カーボンペーパー、カーボンフェルト等が挙げられる。
【００６２】
炭素微粉末としては、グラファイト、カーボンブラック、活性炭、炭素繊維粉末などが挙げられる。前記カーボンブラックとしては、アセチレンブラック、ファーネスブラック、ケッチェンブラック、バルカンなどが挙げられる。また、前記炭素繊維微粉末としては、気相成長法炭素繊維（ＶＧＣＦ）、ミルドファイバー、カットファイバー、チョップファイバーなどが挙げられる。これらのうち、いずれか一種類を用いても良いし、複数混合したものを用いても良い。カーボンブラックと炭素繊維を混合することが、コスト、電気伝導性、強度の観点から好ましい。さらに、カーボンブラックとしては、アセチレンブラックを用いることが、不純物含有量が少なく、電気伝導性が高いという観点から好ましい。
【００６３】
バインダーとしては、ＰＴＦＥ（ポリテトラフルオロエチレン）、ＦＥＰ（テトラフルオロエチレン・ヘキサフルオロプロピレン共重合体）、ＰＶＤＦ（ポリビニリデンフルオライド）、ＥＴＦＥ（テトラフルオロエチレン・エチレン共重合体）、ＰＣＴＦＥ（ポリクロロトリフルオロエチレン）、ＰＦＡ（テトラフルオロエチレン・パーフルオロアルキルビニルエーテル共重合体）などが挙げられる。これらの中でもバインダーとしてＰＴＦＥが使用されることが、耐熱性、撥水性、耐薬品性の観点から好ましい。ＰＴＦＥの原料形態としては、ディスパージョン、粉末状などがあげられる。それらの中でもＰＴＦＥの原料形態としてディスパージョンが採用されることが、作業性の観点から好ましい。
【００６４】
金属微粉末としては、遷移金属微粉末、および、遷移金属合金微粉末が挙げられる。中でも、電気伝導性および耐酸性を有し、比較的安価である、チタン、ニッケル、ステンレス等を用いることが好ましい。
【００６５】
セパレータ５２（アノード側セパレータ５２ａおよびカソード側セパレータ５２ｂ）は、ＭＥＡを機械的に固定するとともに、隣接するＭＥＡ同士を互いに電気的に直列に接続するための部材である。セパレータ５２は、導電性を有する多孔質のプレートであっても良い。セパレータ５２は、例えば、カーボンを含む材質や金属を含む材質で構成される。
【００６６】
ここでセパレータ５２がカーボンを含む材質で構成される場合、セパレータ５２は、カーボン粉末と樹脂バインダーとを混合した原料粉を金型に供給し、金型に供給された原料粉に圧力と熱を加えることによって形成できる。
【００６７】
セパレータ５２が金属を含む材質で構成される場合、セパレータ５２は、金属プレートからなるものであってもよい。セパレータは、チタンやステンレス鋼製の板の表面に金メッキを施したものを使用することができる。
【００６８】
図２に示すように、アノード電極層１４と当接するアノード側セパレータ５２ａの主面には、燃料ガスを流すための燃料ガス流路溝４２が設けられている。また、カソード電極層１６と当接するカソード側セパレータ５２ｂの主面には、酸化剤ガス（酸素）を流すための酸化剤ガス流路溝４４が設けられている。また、アノード側セパレータ５２ａおよびカソード側セパレータ５２ｂそれぞれにおいて、燃料ガス流路溝４２および酸化剤ガス流路溝４４が設けられている主面とは反対側の面には、水や不凍液などの冷却流体が通る冷却水流路溝３２が形成されている。
【００６９】
そして、上記した構成を有する燃料電池単セル１では、燃料ガス流路溝４２を通じて燃料ガス（水素含有ガス）が、酸化剤ガス流路溝４４を通じて酸化剤ガスがそれぞれ供給され、電気化学反応が起こり、電力と熱とを発生させる。
【００７０】
また燃料電池単セル１は、図２に示すように複数、電気的に直列に接続した積層体であるスタック１０として使用されるのが一般的である。なお、このときスタック１０は、燃料ガスおよび酸化剤ガスがリークしないように、且つ接触抵抗を減らすために、ボルトなどの不図示の締結部材により所定の締結圧にて加圧締結される。
【００７１】
（燃料ガス供給器および酸化剤ガス供給器の構成）
次に、再度、図１を参照して燃料ガス供給器６４および酸化剤ガス供給器６６の構成について説明する。
【００７２】
燃料供給器６４は、燃料ガス経路（アノード供給経路）６５を介して、燃料ガスをスタック１０へと供給するものである。燃料供給器６４は、具体的には例えば、天然ガス、灯油、およびガソリン等から改質反応により水素含有ガスを生成する水素生成装置等を用いることができる。
【００７３】
一方、酸化剤ガス供給器６６は、酸化剤ガス経路（カソード供給経路）７１を介して、スタック１０へと酸化剤ガス（酸素）を供給する。酸化剤ガスとしては、例えば、空気を利用できる。酸化剤ガス供給器６６は、例えば、ブロワおよびファン等により構成されうる。そして、酸化剤ガス供給器６６によりスタック１０に供給された酸化剤ガスは酸化剤オフガスとして酸化剤オフガス経路７５を通じて外部に排出される。
【００７４】
また、酸化剤ガス経路７１および酸化剤オフガス経路７５の途中には加湿器６８が備えられており、この加湿器６８によってスタック１０に供給される酸化剤ガスが加湿される。具体的には、加湿器６８は、酸化剤ガス経路７１を介して酸化剤ガス供給器６６から供給される酸化剤ガスを、酸化剤オフガス経路７５を介してスタック１０から供給される酸化剤オフガスで加湿する。
【００７５】
酸化剤ガス供給器６６から加湿器６８に至る酸化剤ガス経路７１には、第１加湿器バイパス経路７２の一端が接続され、第１加湿器バイパス経路７２の他端は加湿器６８からスタック１０に至る酸化剤ガス経路７１に接続されている。第１加湿器バイパス経路７２が酸化剤ガス供給器６６から加湿器６８に至る酸化剤ガス経路７１から分岐する部位には、第１切替器７４が設けられている。第１切替器７４は、酸化剤ガス供給器６６から供給される酸化剤ガスのうち、加湿器６８を通ってスタック１０に供給される割合と、第１加湿器バイパス経路７２を通ってスタック１０に供給される割合とを調整する。第１切替器７４は、例えば三方弁で構成されうる。
【００７６】
スタック１０から加湿器６８に至る酸化剤オフガス経路７５には、第２加湿器バイパス経路７６の一端が接続され、第２加湿器バイパス経路７６の他端は加湿器６８よりも下流の酸化剤オフガス経路７５に接続されている。第２加湿器バイパス経路７６がスタック１０から加湿器６８に至る酸化剤オフガス経路７５から分岐する部位には、第２切替器７８が設けられている。第２切替器７８は、スタック１０から供給される酸化剤オフガスのうち、加湿器６８を通って燃料電池システム１００の系外へと排出される割合と、第２加湿器バイパス経路７６を通って燃料電池システム１００の系外へと排出される割合とを調整する。第２切替器７８も第１切替器７８と同様に、例えば三方弁で構成することができる。
【００７７】
（出力調整器、電圧検出器の構成）
次に、燃料電池システム１００が備える出力調整器７０および電圧検出器３０について説明する。
【００７８】
出力調整器７０は、スタック１０から出力される電流値を変化させるものであり、具体的には例えば、電力調整器（ｐｏｗｅｒ  ｃｏｎｔｒｏｌｌｅｒ）で構成することができる。この出力調整器７０によってスタック１０から出力される電流値を変化させることによりスタック１０で消費する燃料ガスおよび酸化剤ガスの量を変化させることができる。
【００７９】
電圧検出器３０は、スタック１０における所定の燃料電池セル１の電圧を検出するものであり、例えば、電圧計により構成することができる。本実施形態では、電圧検出器３０はスタック１０を構成する複数の燃料電池セル１のうち、一方の端部に配置された燃料電池セル１（端セル）の電圧と、スタック１０の中央に配置された燃料電池セル１（中央セル）の電圧とを検出する。そして詳細は後述するが、この検出結果に基づき、制御部３４が両者の差分を求める。
【００８０】
ここで、燃料電池セル１の端セルと中央セルとの差分を求める理由について説明する。上述したようにスタック１０は発熱しており、スタック１０における燃料電池セル１の積層位置によっては放熱の大きさが異なり、温度が低く水分の蒸発が少ない燃料電池セル１や、温度が高く水分の蒸発が多い燃料電池セル１が混在することとなる。
【００８１】
一般的には、スタック１０の端部に位置する燃料電池セル１（端セル）の方が中央に位置する燃料電池セル１（中央セル）よりも温度が低く水分蒸発量が小さいことが知られている。このため、端セルの方が中央セルよりもフラッディングが発生する可能性が高く、このフラッディングによって電圧が小さくなる可能性が大きくなる。つまり、中央セルの方が端セルよりもフラッディングの影響が小さく、電圧の下がり方は端セルよりも小さくなる。
【００８２】
そこで、本実施の形態に係る燃料電池セル１００の電圧検出器３０は、端セルの電圧と中央セルの電圧とを検出する。そして制御部３４が、この検出結果に基づき、その差分から端セル側でフラッティングが生じているか否か判定する。
【００８３】
なお、電圧検出器３０の構成はこれに限定されるものではなく、例えば、電圧検出器３０が端セルの電圧を検出し、制御部３４が、この検出された電圧が所定の閾値より大きいか否か判定する構成であってもよい。このように構成される場合、所定の閾値を、スタック１０においてフラッディングが発生せず正常に燃料電池セル１が稼動するときの電圧範囲に含まれる任意の値とすることができる。
【００８４】
（水分除去部の構成）
次に、燃料電池システム１００が備える水分除去部３６について説明する。本実施形態では、例えば、燃料ガス経路６５または酸化剤ガス経路７１に凝縮した水が溜まることによって、燃料ガスまたは酸化剤ガスの供給が阻害され、アノード電極層１４またはカソード電極層１６へのガス供給不足により、電池特性が低下するフラッディングが発生した場合、この溜まった水を水分除去部３６によって除去できるように構成されている。
【００８５】
水分除去部３６は、燃料ガス経路６５およびは酸化剤ガス経路７１を加熱するヒータによって構成できる。なお、水除去部３６はこのようなヒータに限定されるものではない。
【００８６】
例えば、燃料ガス供給器６４から燃料ガスを、あるいは酸化剤ガス供給器６６から酸化剤ガスを一定時間、大流量で流すように制御部３４が制御するとともに、スタック１０から出力される電流に対する負荷を停止させる、もしくは電流を低出力となるように出力調整器７０を制御する構成であってもよい。このように構成される場合は、水分除去部３６は、制御部３４、燃料ガス供給器６４、酸化剤ガス供給器６６、および出力調整器７０によって構成されることとなる。
【００８７】
あるいは、水分除去部３６は、燃料ガス供給器６４からスタック１０に供給させる燃料ガスの相対湿度または酸化剤ガス供給器６６からスタック１０に供給させる酸化剤ガスの相対湿度を低下させるように構成することでも実現できる。より具体的には、燃料ガスの相対湿度を低下させるときは、燃料ガス供給器６４が、燃料ガスのＳ／Ｃ（スチームカーボン比）を小さくなるようにする。一方、酸化剤ガスの相対湿度を低下させるときは、制御部３４が第１切替器７４を制御して加湿器６８を流通する酸化剤ガスの流量を小さくしたり、第２切替器７８を制御して改質器６８を流通する酸化剤オフガスの流量を小さくしたりする。すなわち、このように構成される場合、水分除去部３６は、制御部３４、第１切替器７４、および第２切替器７８によって構成できる。
【００８８】
制御部３４は、燃料電池システム１００が備える上述した各部の各種制御を行うものであり、演算処理部と、この演算処理部が読み出して実行する制御プログラムを格納する記憶部とを備える。演算処理部としては、ＭＰＵ（Micro-Processing Unit）、ＣＰＵ（Central Processing Unit）が例示される。記憶部としては、メインメモリ、あるいはハードディスクなどの外部記憶装置などが例示される。制御部３４は、単独で中制御を行う構成であってもよく、複数の制御部３４が互いに協働して分散制御を行う構成であってもよい。
【００８９】
ところで、上記した構成を有する燃料電池システム１００では、スタック１０は、内部の湿潤状態によって、性能が大きく左右される。すなわち、スタック１０内部が乾燥状態になりすぎると、高分子電解質膜のイオン伝導性が著しく低下し、内部抵抗が増大するため、スタック１０の性能が低下する。
【００９０】
一方、スタック１０内部の水分が過剰になりすぎると、水分が凝縮して多量の水が生成され、燃料電池の反応に必要な燃料ガスあるいは酸化剤ガスの流れを妨げるため、スタック１０の性能が低下する。燃料電池システム１００を安定的に動作させるためには、スタック１０内部の湿潤状態を適切に制御することが必要となる。
【００９１】
特に、燃料ガスが流通する経路（燃料ガス経路６５）内に発生した水（凝縮水）に起因して、スタック１０への燃料ガス供給阻害が起こった場合、いわゆる転極と呼ばれる現象が発生する。転極が発生すると、アノード側の触媒金属の溶出またはアノード側の触媒担体の腐食が膜／電極接合体（ＭＥＡ：Membrane Electrode-Assembly）に対して大きな劣化を引き起こす。
【００９２】
そこで、本実施の形態に係る燃料電池システム１００では、特に、スタック１０においてアノード電極層１４側またはカソード電極層１６側のいずれでフラッディングが発生しているのか判定し、フラッディングが発生している電極層側と連通する経路に対して水分除去部３６により水分除去を行うことができるように構成されている。より具体的には、燃料電池システム１００は、フラッディング判定処理として、以下のようにフラッディングが発生しているか否か判定し、フラッティングが発生していると判定した場合、水分除去部３６により水分除去処理を実施する。
【００９３】
（フラッディング判定処理）
図３を参照して、燃料電池システム１００における「フラッディング判定処理」について説明する。図３は、本発明の実施の形態に係る燃料電池システム１００において実施される「フラッディング判定処理」の一例を示すフローチャートである。
【００９４】
本実施の形態に係る燃料電池システム１００は、スタック１０を形成する複数の燃料電池セル１のうち、端部に位置する燃料電池セル１（端セル）の電圧を少なくとも検出しており、この電圧が降下した場合に、その降下した要因を確定する処理を実施する（ステップＳ１）。
【００９５】
そして、ステップＳ１においスタック１０における端セルの電圧降下要因がフラッディングであると確定した場合、燃料電池システム１００では、フラッディングの要因が酸化剤ガス経路７５側にあるのか否か判定処理を行う（ステップＳ２）。次いで、燃料電池システム１００では、フラッディングの要因が燃料ガス経路６５側にあるのか否か判定処理を行う（ステップＳ３）。
【００９６】
なお、上述したように、燃料電池システム１００では、フラッディングの要因が酸化剤ガス経路７５側にあるのか否か判定する処理を、フラッディングの要因が燃料ガス経路６５側にあるのか否か判定する処理よりも先に行うように構成されている。これは判定処理中における転極発生の確率を低減させるためである。
【００９７】
具体的には、燃料電池システム１００では、詳細は後述するがフラッディングの要因が酸化剤ガス経路７５側にあるか否か判定する場合、燃料電池セル１における酸素利用率（Ｕｏ）を、現時点での酸素利用率（Ｕｏ）よりも高めるように変更して判定する。また、フラッディングの要因が燃料ガス経路６５側にあるか否か判定する場合、燃料電池セル１における燃料利用率（Ｕｆ）を、現時点での燃料利用率（Ｕｆ）よりも高めるように変更して判定する。また、このような利用率の変更は、一旦、酸素利用率（Ｕｏ）および燃料利用率（Ｕｆ）を低く抑えた状況を基点にして行われる。
【００９８】
また、燃料電池システム１００では酸素利用率（Ｕｏ）および燃料利用率（Ｕｆ）を低く抑える場合、スタック１０からの出力（電流値）を低下させることで実現している。このように低出力状態のスタック１０において、フラッディングの要因が燃料ガス経路６５側にあるのか否か判定するため燃料ガス利用率（Ｕｆ）を高める場合、スタック１０に供給する燃料ガス流量をきわめて小さくなるように設定する必要がある。このため、スタック１０における燃料ガスの分配性が極めて悪くなる。
【００９９】
したがって、このような低出力状態のスタック１０において燃料ガス利用率（Ｕｆ）を高めようとすると、ガスの流れが悪い燃料電池セル１で燃料不足に起因して転極するリスクが増大する。転極は、一度、発生してしまうと、ＭＥＡに対して極めて大きな劣化を引き起こす要因となる。
【０１００】
一方、フラッディングの要因が酸化剤ガス経路７５側にあるか否か判定するために酸化剤ガスの利用率を高めた場合は、燃料電池セル１において酸素不足になったとしても転極を引き起こすことがない。このため、転極の発生リスクを低減させるために、先にフラッディングの要因が酸化剤ガス経路７５側にあるか否か判定するように構成されている。
【０１０１】
（電圧降下要因確定処理）
まず、ステップＳ１に示す「電圧降下要因確定処理」の詳細について図４を参照して説明する。図４は、本発明の実施の形態に係る燃料電池システムが実施する「フラッディング判定処理」のサブルーチンである「電圧降下要因確定処理」の一例を示すフローチャートである。
【０１０２】
燃料電池システム１００は、通常運転に設定して稼動しているものとする（ステップＳ１０）。この通常運転では、燃料電池セル１における燃料利用率（Ｕｆ）は、例えば８０％、酸素利用率（Ｕｏ）は、例えば５０％となるように設定されている。
【０１０３】
このように通常の運転状態で燃料電池システム１００が稼動しているとき、電圧検出器３０がスタック１０における所定の燃料電池セル１の電圧（Ｖ１、Ｖ２）を検出する（ステップＳ１１）。
【０１０４】
具体的には、電圧検出器３０は、スタック１０における端部に位置する燃料電池セル１（端セル）の電圧（Ｖ１）を検出する。しかしながら、電圧検出対象となる燃料電池セル１はこの端セルに限定されるものではなくこの端セルと隣接する他の燃料電池セル１であってもよい。あるいは、スタック１０を形成する複数の燃料電池セル１を複数のブロックに分割し、端セルを含むブロックにおける、いずれか１つの燃料電池セル１を電圧検出対象としてもよい。
【０１０５】
また、電圧検出器３０は、この電圧検出対象の電圧と比較する電圧値として、スタック１０における中央部に位置する燃料電池セル１（中央セル）の電圧（Ｖ２）も検出している。つまり、スタック１０における端部の燃料電池セル１の温度は中央部に位置する燃料電池セル１の温度よりも低くなり、フラッディングが発生する可能性が高い。これに対して、中央部に位置する燃料電池セル１は、高温のためフラディングが発生する可能性が低く、電圧値の降下が生じにくい。
【０１０６】
このため、電圧検出器３０は、端セルの電圧（Ｖ１）の電圧降下の有無を判定するために比較対象として利用する電圧値として、中央セルの電圧（Ｖ２）も検出している。なお、この比較対象となる電圧値として利用する電圧は、この中央セルの電圧（Ｖ２）に限定されるものではない。例えば、この中央セルと隣接する他の燃料電池セル１から検出される電圧を利用してもよい。あるいは、スタック１０を形成する複数の燃料電池セル１を複数のブロックに分割し、中央セルを含むブロックにおける、いずれか１つの燃料電池セル１から検出された電圧を利用してもよい。
【０１０７】
もしくは、この比較対象となる電圧値は、予め設定されている値であってもよい。比較対象となる電圧値を予め設定された値とする場合、この電圧値は、例えば、通常運転時における、スタック１０を形成する複数の燃料電池セル１の平均電圧を予め求めて得た値としてもよい。
【０１０８】
このように電圧検出器３０が端セルの電圧（Ｖ１）および中央セルの電圧（Ｖ２）を検出すると、この検出結果に基づき、制御部３４が端セルの電圧（Ｖ１）が所定の電圧未満となっているか否か判定する。具体的には、制御部３４は、検出された端セルの電圧（Ｖ１）と中央セルの電圧（Ｖ２）との差分（Ｖ２−Ｖ１）が所定値Ｖａより大きいか否か判定する（ステップＳ１２）。なお、所定値Ｖａは、端セルと中央セルとの電圧差において、端セルにおいて電圧降下が発生していると認められる範囲で設定することができる値である。
【０１０９】
ステップＳ１２において制御部３４が端セルの電圧（Ｖ１）と中央セルの電圧（Ｖ２）との差分（Ｖ２−Ｖ１）が所定値Ｖａより大きいと判定した場合（ステップＳ１２において「ＹＥＳ」）、端セルの電圧（Ｖ１）が所定の電圧未満となっていると判定する。そして、制御部３４は、スタック１０における端セルに異常が発生していると判定する（ステップＳ１３）。
【０１１０】
また、制御部３４は、ステップＳ１３で異常が発生していると判定すると、異常の要因が経路中に溜まった水によりガスの供給阻害が生じたものであるのか特定するために、燃料電池システム１００における運転条件の設定を変更させる。具体的には、制御部３４は、通常の運転時に設定されている燃料利用率（Ｕｆ）と酸素利用率（Ｕｏ）とが低くなるように設定を変更させる（低Ｕｆ／低Ｕｏ運転）（ステップＳ１４）。例えば、燃料利用率（Ｕｆ）を８０％から４０％まで、酸素利用率（Ｕｏ）を５０％から２５％まで低下させるように設定を変更する。制御部３４は、燃料利用率（Ｕｆ）と酸素利用率（Ｕｏ）とを低下させるために、出力調整部７０に対して、スタック１０からの出力を下げるように指示する。この指示に応じて、出力調整部７０がスタック１０からの電流値を半分下げる。これにより、燃料利用率（Ｕｆ）および酸素利用率（Ｕｏ）を小さくすることができる。なお、このステップ１４では出力調整部７０が本発明の利用率設定部を構成する。
【０１１１】
上述したように、燃料電池システム１００では、スタック１０からの出力を下げることで、上述した低Ｕｆ／低Ｕｏ運転となるように制御しているが、スタック１０に供給する燃料ガスおよび酸化剤ガスの流量をそれぞれ大きくすることで、上述した低Ｕｆ／低Ｕｏ運転となるように制御してもよい。このように制御する場合、制御部３４は、燃料ガス供給器６４に対して、供給する燃料ガス流量を増大させるように指示するとともに、酸化剤ガス供給器６６に対して、供給する酸化剤ガス流量を増大させるように指示する。この構成の場合、このステップ１４における利用率設定部は、燃料ガス供給器６４および酸化剤ガス供給器６６により構成することができる。
【０１１２】
このように低Ｕｆ／低Ｕｏ運転に設定を変更することで、スタック１０内における水素および酸素の濃度を高く維持することができる。このため、スタック１０内の一部分で水によるガス（燃料ガスまたは酸化剤ガス）の供給阻害、すなわちフラッディングが起こった場合であっても発電を継続することができる。つまり、フラッディングによりスタック１０の端部の燃料電池セル１の電圧が低下している場合は、上述した低Ｕｆ／低Ｕｏ運転に設定を変更することで燃料電池セル１に燃料ガスおよび酸化剤ガスを過剰に供給することができる。これにより、燃料電池セル１へのガスの供給不足を補うことができ、電圧低下は解消されることとなる。
【０１１３】
そこで、低Ｕｆ／低Ｕｏ運転設定時の燃料電池システム１００において、電圧検出器３０が、再度、端セルの電圧（Ｖ３）および中央セルの電圧（Ｖ４）を検出する（ステップＳ１５）。そして、制御部３４が、この検出結果に基づき、端セルの電圧（Ｖ３）が所定の電圧未満となっているか否か判定する。具体的には、制御部３４は、検出された端セルの電圧（Ｖ３）と中央セルの電圧（Ｖ４）との差分（Ｖ４−Ｖ３）が所定値Ｖｂより大きいか否か判定する（ステップＳ１６）。なお、端セルと中央セルとの電圧差において、端セルにおいて電圧降下が発生していると認められる範囲で任意に設定することができる。
【０１１４】
ステップＳ１６において端セルの電圧（Ｖ３）と中央セルの電圧（Ｖ４）との差分（Ｖ４−Ｖ３）が所定値Ｖｂより大きい場合（ステップＳ１４において「ＹＥＳ」）、制御部３４が端セルの電圧（Ｖ３）が所定の電圧未満となっていると判定する。そして、制御部３４は、低Ｕｆ／低Ｕｏ運転に設定を変更した後でも端セルの電圧（Ｖ３）が所定の電圧未満となっているため、フラッディング以外の要因で端セルの電圧が低下していると判定する（ステップＳ１７）。
【０１１５】
一方、ステップＳ１６において、制御部３４が端セルの電圧（Ｖ３）と中央セルの電圧（Ｖ４）との差分（Ｖ４−Ｖ３）が所定値Ｖｂ以下であると判定した場合（ステップＳ１６において「ＮＯ」）、経路中に発生した水によるガス（燃料ガスまたは酸化剤ガス）供給の供給阻害であると確定する（ステップＳ１８）。
【０１１６】
つまり、ステップＳ１６において「ＮＯ」の場合とは、端セルの電圧（Ｖ３）と中央セルの電圧（Ｖ４）との間に大きな差が見られない場合である。すなわち、低Ｕｆ／低Ｕｏ運転に設定することで、端セルの電圧低下が解消された場合である。
【０１１７】
このように、本実施の形態に係る燃料電池システム１００では、確度よく、スタック１０の端部の燃料電池セル１の電圧が低下している要因が経路中に溜まった水（凝縮水）であるか否か判定することができる。
【０１１８】
しかしながら、この段階では、水（凝縮水）が溜まっている位置が、燃料ガス経路６５であるのかそれとも酸化剤ガス経路７１であるのか区別することができない。そこで、これらを判定するために燃料電池システム１００では、まず、酸化剤ガス経路７１側の水によってフラッディングが生じているのか否か判定する処理である、「酸化剤ガス経路側のフラッディング判定処理」を実施する。
【０１１９】
（酸化剤ガス経路側のフラッディング判定処理）
次に、酸化剤ガス経路側のフラッディング判定処理について図５を参照して説明する。図５は、本発明の実施の形態に係る燃料電池システムが実施する「フラッディング判定処理」のサブルーチンである「酸化剤ガス経路側のフラッディング判定処理」の一例を示すフローチャートである。
【０１２０】
制御部３４は、まず、燃料電池システム１００の運転の設定を上述した低Ｕｆ／低Ｕ０運転から低Ｕｆ／高Ｕｏ運転へと設定を変更させる（ステップＳ２０）。すなわち、経路中に発生した水によるガス（燃料ガスまたは酸化剤ガス）供給の阻害が発生していると確定すると、制御部３４は現時点で設定されている酸素利用率（Ｕｏ）が大きくなるように設定を変更させる（低Ｕｆ／高Ｕｏ運転）。
【０１２１】
例えば、制御部３４は、「電圧降下要因確定処理」によって低Ｕｆ／低Ｕｏ運転に設定されている状態、すなわち、燃料利用率（Ｕｆ）４０％、酸素利用率（Ｕｏ）２５％となっている状態で、酸素利用率（Ｕｏ）のみ５０％以上に上げる。これにより、燃料電池セル１のカソード電極層１６のみ水（凝縮水）に対する耐性を低下させることができる。つまり、水（凝縮水）が経路中に発生している場合、カソード電極層１６のみこの影響を受けやすくなるようにすることができる。
【０１２２】
具体的には制御部３４は、酸化剤ガス供給器６６に対して、供給する酸化剤ガスの流量を小さくするように指示する。これによって、燃料電池システム１００は低Ｕｆ／高Ｕｏ運転へと設定変更される。なお、このステップＳ２０では、酸化剤ガス供給器６６により本発明の利用率設定部を構成することができる。
【０１２３】
低Ｕｆ／高Ｕｏ運転設定時の燃料電池システム１００において、電圧検出器３０が、再度、端セルの電圧（Ｖ５）および中央セルの電圧（Ｖ６）を検出する（ステップＳ２１）。そして、制御部３４が、この検出結果に基づき、端セルの電圧（Ｖ５）が所定の電圧未満となっているか否か判定する。具体的には、制御部３４は、検出された端セルの電圧（Ｖ５）と中央セルの電圧（Ｖ６）との差分（Ｖ６−Ｖ５）が所定値Ｖｃより大きいか否か判定する（ステップＳ２２）。なお、所定値Ｖｃは、端セルと中央セルとの電圧差において、端セルにおいて電圧降下が発生していると認められる範囲で任意に設定することができる。
【０１２４】
ここで制御部３４が、差分（Ｖ６−Ｖ５）が所定値Ｖｃより大きいと判定した場合（ステップＳ２２において「ＹＥＳ」）、端セルの電圧（Ｖ５）が所定の電圧未満となっていると判定する。そして、制御部３４は、低Ｕｆ／高Ｕｏ運転から酸素利用率（Ｕｏ）を上げることで、端セルの電圧（Ｖ５）が所定の電圧未満となったため、少なくとも酸化剤ガス経路７１内の水により酸化剤ガスの供給が阻害されていると判定する（ステップＳ２３）。
【０１２５】
そして、制御部３４は、水分除去部３６に対して酸化剤ガス経路７１内の水分除去を指示する。この制御部３４からの指示に応じて、水分除去部３６は、酸化剤ガス経路７１内の水分を除去する（ステップＳ２４）。水分除去部３６による水分除去処理については、上述したためここでは説明は省略する。
【０１２６】
水分除去部３６により水分除去処理が実施されると、再度、ステップＳ２１に戻る。すなわち、電圧検出器３０が低Ｕｆ／高Ｕｏ運転での端セルの電圧（Ｖ５）と中央セルの電圧（Ｖ６）を再度、検出する（ステップＳ２１）。そして、制御部３４が中央セルの電圧と端セルの電圧との差分（Ｖ６−Ｖ５）が所定値Ｖｃよりも大きいか否か判定する（ステップＳ２２）。そして、電圧との差分（Ｖ６−Ｖ５）が所定値Ｖｃよりも大きい場合（ステップＳ２２において「Ｙｅｓ」）は、制御部３４は、依然として酸化剤ガス経路７１内の水により酸化剤ガスの供給が阻害されていると判定し（ステップＳ２３）、水分除去部３６に対して酸化剤ガス経路７１内の水分除去を指示する。この制御部３４からの指示に応じて、水分除去部３６は、酸化剤ガス経路７１内の水分を除去する（ステップＳ２４）。
【０１２７】
このように、本実施の形態に係る燃料電池システムでは、酸化剤ガス経路７１内の水により酸化剤ガスの供給が阻害されていると判定した場合、中央セルの電圧と端セルの電圧との差分（Ｖ６−Ｖ５）が所定値Ｖｃ以下となるまで、水分除去部３６による水分除去処理を繰り返すことができる。
【０１２８】
一方、ステップＳ２２において「ＮＯ」の場合は、低Ｕｆ／高Ｕｏ運転に設定を変更しても端セルの電圧低下が小さいことを示している。このため、酸化剤ガス経路７１内には酸化剤ガスの供給を阻害するような水が溜まっていないことが分かる。したがって、ステップＳ２２において「ＮＯ」の場合、制御部３４は、端セルの電圧低下の要因が酸化剤ガス供給経路７１内に溜まった水分ではないと判定する（Ｓ２５）。
【０１２９】
上述したように「酸化剤ガス経路側のフラッディング判定処理」を実施すると、燃料電池システム１００では、次に、「燃料ガス経路側のフラッディング判定処理」が実施される。以下において「燃料ガス経路側のフラッディング判定処理」について説明する。
【０１３０】
（燃料ガス経路側のフラッディング判定処理）
図６を参照して、本実施の形態に係る燃料電池システム１００で実施される、「燃料ガス経路側のフラッディング判定処理」について具体的に説明する。図６は、本発明の実施の形態に係る燃料電池システムが実施する「フラッディング判定処理」のサブルーチンである「燃料ガス経路側のフラッディング判定処理」の一例を示すフローチャートである。
【０１３１】
「燃料ガス経路側のフラッディング判定処理」では、「酸化剤ガス経路側のフラッディング判定処理」で設定されている低Ｕｆ／高Ｕｏ運転（燃料利用率（Ｕｆ）４０％、酸素利用率（Ｕｏ）５０％）を、通常運転（燃料利用率（Ｕｆ）８０％、酸素利用率（Ｕｏ）５０％）へと変更させる（ステップＳ３０）。
【０１３２】
すなわち、「酸化剤ガス経路側のフラッディング判定処理」で設定した運転状態において燃料利用率（Ｕｆ）を４０％から８０％に上げる。このようにステップＳ３０では、通常運転時の燃料利用率（Ｕｆ）および酸素利用率（Ｕо）へと設定変更することで燃料利用率（Ｕｆ）を上げる構成である。このため、制御部３４は、燃料ガス供給器６４から供給される燃料の供給量と酸化剤ガス供給器６６から供給される酸化剤ガスの供給量とを通常運転時の設定に戻すように制御する。さらに出力調整器７０に指示してスタック１０の出力を通常運転時に設定されている値に戻すように制御する。すなわち、このステップＳ３０では、燃料ガス供給器６４、酸化剤ガス供給器６６、および出力調整器７９によって本発明の利用率設定部を構成することができる。
【０１３３】
このように通常運転に設定した燃料電池システム１００において、電圧検出器３０が、端セルの電圧（Ｖ１）および中央セルの電圧（Ｖ２）を検出する（ステップＳ３１）。そして、制御部３４が、この検出結果に基づき、端セルの電圧（Ｖ１）が所定の電圧未満となっているか否か判定する。具体的には、制御部３４は、検出された端セルの電圧（Ｖ１）と中央セルの電圧（Ｖ２）との差分（Ｖ２−Ｖ１）が所定値Ｖａより大きいか否か判定する（ステップＳ３２）。
【０１３４】
ここで、ステップＳ３２において「ＹＥＳ」の場合、制御部３４は端セルの電圧（Ｖ１）が所定の電圧未満となっていると判定する。そして、制御部３４は、燃料電池システム１００における経路中に生じた水が原因で端セルへのガス供給阻害が発生していると判定する。つまり、このステップＳ３２では、すでに、「酸化剤ガス経路側のフラッディング判定処理」でガスの供給阻害の原因は酸化剤ガス経路内の水ではないと判定しているか、もしくは酸化剤ガス経路内の水を除去している。したがって、ステップＳ３２において「ＹＥＳ」の場合、制御部３４は、燃料ガス経路内の水による供給阻害と判定する（ステップＳ３３）。
【０１３５】
そして、制御部３４は、水分除去部３６に対して燃料ガス経路６５内の水分除去を指示する。この制御部３４からの指示に応じて、水分除去部３６は、燃料ガス経路６５内の水分を除去する（ステップＳ３４）。水分除去部３６による水分除去処理については、上述したためここでは説明は省略する。
【０１３６】
水分除去部３６により水分除去処理が実施されると、再度、ステップＳ３１に戻る。すなわち、電圧検出器３０が通常運転での端セルの電圧（Ｖ１）と中央セルの電圧（Ｖ２）を再度検出する（ステップＳ３１）。そして、制御部３４が中央セルの電圧と端セルの電圧との差分（Ｖ２−Ｖ１）が所定値Ｖａよりも大きいか否か判定する（ステップＳ３２）。そして、電圧との差分（Ｖ２−Ｖ１）が所定値Ｖａよりも大きい場合（ステップＳ３２において「Ｙｅｓ」）は、制御部３４は、依然として燃料ガス経路６５内の水により燃料ガスの供給が阻害されていると判定し（ステップＳ３３）、水分除去部３６に対して燃料ガス経路７１内の水分除去を指示する。この制御部３４からの指示に応じて、水分除去部３６は、燃料ガス経路７１内の水分を除去する（ステップＳ３４）。
【０１３７】
このように、本実施の形態に係る燃料電池システムでは、燃料ガス経路６５内の水により燃料ガスの供給が阻害されていると判定した場合、中央セルの電圧と端セルの電圧との差分（Ｖ２−Ｖ１）が所定値Ｖａ以下となるまで、水分除去部３６による水分除去処理を繰り返すことができる。
【０１３８】
一方、ステップＳ３２において「ＮＯ」の場合は、通常運転において端セルの電圧低下が小さいことを示している。つまり、制御部３４は経路内の水によるガス（燃料ガス、酸化剤ガス）の供給阻害が解消されたと判定して、処理を終了する。
【０１３９】
なお、上述した「酸化剤ガス経路側のフラッディング判定処理」において、ステップＳ２０の低Ｕｆ／高Ｕｏ運転への設定に際しては、酸素利用率（Ｕｏ）を所定の利用率（例えば、Ｕｏ＝５０％）まで一気に変化させる構成であってもよい。あるいは、酸素利用率（Ｕｏ）を段階的に所定の利用率（例えば、Ｕｏ＝５０％）になるまで変化させる構成であってもよい。
【０１４０】
酸素利用率（Ｕｏ）を段階的に変化させる構成の場合、ステップＳ２１では、酸素利用率が変化するごとに電圧検出器３０が端セルの電圧（Ｖ５）と中央セルの電圧（Ｖ６）とを検出する。そして、ステップＳ２２では、制御部３４が、端セルの電圧（Ｖ５）と中央セルの電圧（Ｖ６）とを電圧検出器３０が検出するたびにそれらの差分（Ｖ６−Ｖ５）を求め、この求めた値の変化を示す傾きから酸化剤ガス経路７１に溜まった水により酸化剤ガスの供給阻害が起こっているか否か判定する。制御部３４は、この傾きが所定の値よりも大きい場合、すなわち端セルの電圧変化が大きい場合、少なくとも酸化剤ガス経路７１に溜まった水が原因で酸化剤ガスの供給阻害が起こっていると判定する。
【０１４１】
このように、傾きから判定する構成の方が、酸素利用率をいきなり所定の利用率に設定変更する構成よりも端セルの電圧変化をみながら利用率の設定変更ができるため、安全に燃料電池セル１へのガスの供給阻害要因を判定することができる。
【０１４２】
また、上述した「燃料ガス経路側のフラッディング判定処理」において、ステップＳ３０の通常運転への設定に際しては燃料利用率（Ｕｆ）を通常運転時の利用率（例えば、Ｕｆ＝８０％）まで一気に変化させる構成であってもよい。あるいは。燃料利用率（Ｕｆ）を段階的に所定の利用率（例えば、Ｕｆ＝８０％）になるまで変化させてもよい。
【０１４３】
燃料利用率（Ｕｆ）を段階的に変化させる構成の場合、ステップＳ３０では、制御部３４からの指示に応じて出力調整器７０がスタック１の出力を段階的に通常運転時の出力まで上げるように調整する。
【０１４４】
また、ステップＳ３１では、燃料利用率（Ｕｆ）が変化するごとに電圧検出器３０が端セルの電圧（Ｖ１）と中央セルの電圧（Ｖ２）とを検出する。そして、ステップＳ３２では、制御部３４が、端セルの電圧（Ｖ１）と中央セルの電圧（Ｖ２）とを電圧検出器３０が検出するたびにそれらの差分（Ｖ２−Ｖ１）を求め、この求めた値の変化を示す傾きから燃料ガス経路６５に溜まった水により燃料ガスの供給阻害が起こっているか否か判定する。制御部３４は、この傾きが所定の値よりも大きい場合、すなわち端セルの電圧変化が大きい場合、燃料ガス経路６５に溜まった水が原因で燃料ガスの供給阻害が起こっていると判定する。
【０１４５】
このように、傾きから判定する構成の方が、燃料利用率をいきなり所定の利用率に設定変更する構成よりも端セルの電圧変化をみながら利用率の設定変更ができるため、安全に燃料電池セル１へのガスの供給阻害要因を判定することができる。
【０１４６】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造および／又は機能の詳細を実質的に変更できる。
【産業上の利用可能性】
【０１４７】
本発明の一態様は、従来よりも簡潔な構成でスタックの湿潤状態を判定することができる燃料電池システムおよびその運転方法として有用である。
【符号の説明】
【０１４８】
１  燃料電池セル
１０  スタック
１２  高分子電解質膜
１４  アノード電極層
１６  カソード電極層
１８  ＭＥＡ（膜電極接合体）
３０  電圧検出器
３４  制御部
３６  水分除去部（第一水分除去部、第二水分除去部）
６４  燃料ガス供給器
６５  燃料ガス経路（アノード供給経路）
６６  酸化剤ガス供給器
６８  加湿器
７０  出力調整器
７１  酸化剤ガス経路（カソード供給経路）
７２  第１加湿器バイパス経路
７４  第１切替器
７５  酸化剤オフガス経路
７６  第２加湿器バイパス経路
７８  第２切替器
１００  燃料電池システム
【図１】
2014209416.tif 000003
【図２】
2014209416.tif 000004
【図３】
2014209416.tif 000005
【図４】
2014209416.tif 000006
【図５】
2014209416.tif 000007
【図６】
2014209416.tif 000008